(57)【要約】【課題】  管理装置が設定項目を把握していなかったアプリケーションの設定値であっても管理装置から画像処理装置に設定を指示することができる管理システムを提供する。【解決手段】  管理システムのＭＦＰは、インストールされているアプリケーションと、アプリケーションの設定項目の構成を示す情報である項目構成情報を管理するアプリケーションプラットフォーム２８ｂとを備えており、アプリケーションプラットフォーム２８ｂは、項目構成情報を管理装置３０に送信し（Ｓ１３２）、ＭＦＰを管理する管理装置３０は、ＭＦＰから送信されてきた項目構成情報に基づいて、設定項目に対する設定値の設定のための画面である設定値設定用画面を生成し（Ｓ１３３）、管理装置３０は、Ｓ１３３において生成した設定値設定用画面において指示された設定値をＭＦＰに送信することによって、このＭＦＰのアプリケーションに、この設定値を設定させることを特徴とする。【選択図】  図９
2014048756.tif 000002
【特許請求の範囲】
【請求項１】
画像処理装置と、前記画像処理装置を管理する管理装置とを備えており、
前記画像処理装置は、インストールされているアプリケーションと、前記アプリケーションの設定項目の構成を示す情報である項目構成情報を管理する項目構成管理手段とを備えており、
前記管理装置は、前記設定項目に対する設定値の設定のための画面である設定値設定用画面を生成する設定用画面生成手段と、前記アプリケーションに前記設定値を設定させる設定値設定手段とを備えており、
前記項目構成管理手段は、前記項目構成情報を前記管理装置に送信し、
前記設定用画面生成手段は、前記画像処理装置から送信されてきた前記項目構成情報に基づいて前記設定値設定用画面を生成し、
前記設定値設定手段は、前記設定用画面生成手段によって生成された前記設定値設定用画面において指示された前記設定値を前記画像処理装置に送信することによって、この画像処理装置の前記アプリケーションに、この設定値を設定させることを特徴とする管理システム。
【請求項２】
前記設定値設定手段は、前記アプリケーションに対する前記設定値設定用画面において前記設定値が指示された場合に、このアプリケーションがインストールされている複数の前記画像処理装置に、この設定値を送信することを特徴とする請求項１に記載の管理システム。
【請求項３】
前記設定用画面生成手段は、前記設定値設定手段によって複数の前記画像処理装置に前記設定値が送信される場合に、この複数の画像処理装置の一部のみに、この設定値が設定される前記アプリケーションの前記項目構成情報を要求することを特徴とする請求項２に記載の管理システム。
【請求項４】
前記管理装置は、前記アプリケーションがインストールされている前記画像処理装置のうち、このアプリケーションの前記設定値の送信先となる画像処理装置が選択されるための画面である送信先選択用画面を生成する選択用画面生成手段を備えており、
前記設定値設定手段は、前記選択用画面生成手段によって生成された前記送信先選択用画面において選択された前記画像処理装置に前記設定値を送信することを特徴とする請求項１から請求項３までの何れかに記載の管理システム。
【請求項５】
前記設定値設定手段は、利用者の認証情報を前記設定値とともに前記画像処理装置に送信し、
前記画像処理装置は、前記認証情報に基づいて前記利用者の認証を実行する認証実行手段を備えており、
前記アプリケーションは、前記設定値とともに送信されてきた前記認証情報に基づいた前記認証実行手段による認証が成功した場合に、この設定値を設定することを特徴とする請求項１から請求項４までの何れかに記載の管理システム。
【発明の詳細な説明】
【技術分野】
【０００１】
本発明は、画像処理装置と、この画像処理装置を管理する管理装置とを備えている管理システムに関する。
【背景技術】
【０００２】
従来、画像処理装置と、この画像処理装置を管理する管理装置とを備えている管理システムが知られている（特許文献１参照。）。この管理システムの管理装置は、画像処理装置において使用されるアプリケーションの設定項目のうち、利用者によって選択された設定項目に関する設定情報を、複数の画像処理装置に要求する。管理装置によって設定情報が要求された各画像処理装置は、アプリケーションの設定項目のうち、管理装置によって設定情報が要求された設定項目に含まれる全ての下位項目について、現在の設定値を抽出し、抽出した設定値を含めた設定情報を管理装置に送信する。画像処理装置によって設定情報が送信された管理装置は、画像処理装置によって送信された設定情報に基づいて設定用画面を生成し、生成した設定用画面を表示することによって、その画像処理装置におけるアプリケーションの設定項目の下位項目の設定値の設定を利用者から受け付ける。ここで、管理装置は、アプリケーションの設定項目の下位項目の設定値が同一である複数の画像処理装置をグループ化して設定用画面を表示する。そして、利用者が設定用画面において設定値の設定を指示すると、管理装置は、その設定用画面においてグループ化されている複数の画像処理装置に対して一括して設定値の設定を指示する。したがって、複数の画像処理装置のそれぞれは、アプリケーションの設定項目の下位項目の設定値を管理装置からの指示に応じて設定する。
【先行技術文献】
【特許文献】
【０００３】
【特許文献１】特開２０１０−１６６３８２号公報
【発明の概要】
【発明が解決しようとする課題】
【０００４】
しかしながら、従来の管理システムにおいては、管理装置が設定項目を把握しているアプリケーションの設定値についてのみ管理装置から画像処理装置に設定を指示することができるので、画像処理装置に新たにインストールされたアプリケーションなど、管理装置が設定項目を把握していないアプリケーションの設定値について管理装置から画像処理装置に設定を指示することができないという問題がある。
【０００５】
そこで、本発明は、管理装置が設定項目を把握していなかったアプリケーションの設定値であっても管理装置から画像処理装置に設定を指示することができる管理システムを提供することを目的とする。
【課題を解決するための手段】
【０００６】
本発明の管理システムは、画像処理装置と、前記画像処理装置を管理する管理装置とを備えており、前記画像処理装置は、インストールされているアプリケーションと、前記アプリケーションの設定項目の構成を示す情報である項目構成情報を管理する項目構成管理手段とを備えており、前記管理装置は、前記設定項目に対する設定値の設定のための画面である設定値設定用画面を生成する設定用画面生成手段と、前記アプリケーションに前記設定値を設定させる設定値設定手段とを備えており、前記項目構成管理手段は、前記項目構成情報を前記管理装置に送信し、前記設定用画面生成手段は、前記画像処理装置から送信されてきた前記項目構成情報に基づいて前記設定値設定用画面を生成し、前記設定値設定手段は、前記設定用画面生成手段によって生成された前記設定値設定用画面において指示された前記設定値を前記画像処理装置に送信することによって、この画像処理装置の前記アプリケーションに、この設定値を設定させることを特徴とする。
【０００７】
この構成により、本発明の管理システムは、画像処理装置が画像処理装置自身にインストールされているアプリケーションの項目構成情報を管理装置に送信し、管理装置がこの項目構成情報に基づいてこのアプリケーションに対する設定値設定用画面を生成するので、管理装置が設定項目を把握していなかったアプリケーションの設定値であっても管理装置から画像処理装置に設定を指示することができる。
【０００８】
また、本発明の管理システムにおいて、前記設定値設定手段は、前記アプリケーションに対する前記設定値設定用画面において前記設定値が指示された場合に、このアプリケーションがインストールされている複数の前記画像処理装置に、この設定値を送信しても良い。
【０００９】
この構成により、本発明の管理システムは、アプリケーションの設定項目に対する設定値の設定を複数の画像処理装置に対して一括して実行することができるので、複数の画像処理装置にインストールされているアプリケーションの設定項目に対する設定値の設定を容易化することができる。
【００１０】
また、本発明の管理システムにおいて、前記設定用画面生成手段は、前記設定値設定手段によって複数の前記画像処理装置に前記設定値が送信される場合に、この複数の画像処理装置の一部のみに、この設定値が設定される前記アプリケーションの前記項目構成情報を要求しても良い。
【００１１】
この構成により、本発明の管理システムは、設定値が送信される複数の画像処理装置の全部に、この設定値が設定されるアプリケーションの項目構成情報を要求する構成と比較して、管理システム全体における通信量を低減することができる。
【００１２】
また、本発明の管理システムにおいて、前記管理装置は、前記アプリケーションがインストールされている前記画像処理装置のうち、このアプリケーションの前記設定値の送信先となる画像処理装置が選択されるための画面である送信先選択用画面を生成する選択用画面生成手段を備えており、前記設定値設定手段は、前記選択用画面生成手段によって生成された前記送信先選択用画面において選択された前記画像処理装置に前記設定値を送信しても良い。
【００１３】
この構成により、本発明の管理システムは、同一のアプリケーションが複数の画像処理装置にインストールされている場合、これらの画像処理装置のうち、このアプリケーションの設定項目に対して設定値が設定される画像処理装置が送信先選択用画面において選択可能であるので、管理システム全体として、画像処理装置にインストールされているアプリケーションの設定項目に対する設定値の設定の自由度を向上することができる。
【００１４】
また、本発明の管理システムにおいて、前記設定値設定手段は、利用者の認証情報を前記設定値とともに前記画像処理装置に送信し、前記画像処理装置は、前記認証情報に基づいて前記利用者の認証を実行する認証実行手段を備えており、前記アプリケーションは、前記設定値とともに送信されてきた前記認証情報に基づいた前記認証実行手段による認証が成功した場合に、この設定値を設定しても良い。
【００１５】
この構成により、本発明の管理システムは、認証情報に基づいた認証が画像処理装置において成功した場合に、この認証情報とともに管理装置からこの画像処理装置に送信されてきた設定値を、この画像処理装置がアプリケーションの設定項目に対して設定するので、画像処理装置にインストールされているアプリケーションの設定項目に対して設定値が不正に設定されることを防止することができる。
【発明の効果】
【００１６】
本発明の管理システムは、管理装置が設定項目を把握していなかったアプリケーションの設定値であっても管理装置から画像処理装置に設定を指示することができる。
【図面の簡単な説明】
【００１７】
【図１】本発明の一実施の形態に係る管理システムのブロック図である。
【図２】図１に示すＭＦＰのブロック図である。
【図３】図２に示す設定情報の一例を示す図である。
【図４】図２に示す項目構成データベースの一例を示す図である。
【図５】図１に示す管理装置のブロック図である。
【図６】管理装置が送信先選択用画面を表示する場合の図１に示す管理システムの動作のシーケンス図である。
【図７】図５に示す表示部に表示される送信先選択用画面の一例を示す図である。
【図８】図５に示す表示部に表示される送信先個別選択用画面の一例を示す図である。
【図９】管理装置が設定値設定用画面を表示する場合の図１に示す管理システムの動作のシーケンス図である。
【図１０】ＭＦＰから図５に示す管理装置に送信されるＸＭＬ形式の項目構成送信用情報の一例を示す図である。
【図１１】図５に示す表示部に表示される設定値設定用画面の一例を示す図である。
【図１２】管理装置によってＭＦＰのアプリケーションの設定項目に対する設定値を設定する場合の図１に示す管理システムの動作のシーケンス図である。
【図１３】図５に示す管理装置からＭＦＰに送信されるＸＭＬ形式の設定値送信用情報の一例を示す図である。
【図１４】図５に示す表示部に表示される設定値設定用画面を示す図であって、図１１に示す例とは異なる例を示す図である。
【発明を実施するための形態】
【００１８】
以下、本発明の一実施の形態について、図面を用いて説明する。
【００１９】
まず、本実施の形態に係る管理システム１０の構成について説明する。
【００２０】
図１は、本実施の形態に係る管理システム１０のブロック図である。
【００２１】
図１に示すように、管理システム１０は、ＭＦＰ（Ｍｕｌｔｉｆｕｎｃｔｉｏｎ  Ｐｅｒｉｐｈｅｒａｌ）２０を含む多数のＭＦＰと、ＭＦＰを管理する管理装置３０とを備えている。多数のＭＦＰと、管理装置３０とは、ＬＡＮ（Ｌｏｃａｌ  Ａｒｅａ  Ｎｅｔｗｏｒｋ）、インターネットなどのネットワーク１１を介して互いに通信可能に接続されている。ここで、多数のＭＦＰは、それぞれ本発明の画像処理装置を構成している。
【００２２】
なお、管理システム１０に含まれている多数のＭＦＰのそれぞれの構成は、ＭＦＰ２０の構成と同様である。したがって、以下においては、管理システム１０に含まれる多数のＭＦＰを代表してＭＦＰ２０について説明する。
【００２３】
図２は、ＭＦＰ２０のブロック図である。
【００２４】
図２に示すように、ＭＦＰ２０は、利用者による種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、用紙に印刷を実行する印刷デバイスであるプリンター２３と、原稿から画像を読み取る読取デバイスであるスキャナー２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行うネットワーク通信デバイスであるネットワーク通信部２６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの不揮発性の記憶デバイスである記憶部２７と、ＭＦＰ２０全体を制御する制御部２８とを備えている。
【００２５】
記憶部２７は、後述のアプリケーション２８ａ用のプログラムであるアプリケーションプログラム２７ａと、後述のアプリケーションプラットフォーム２８ｂ用のプログラムであるプラットフォームプログラム２７ｃと、利用者の認証情報２７ｅとを記憶している。
【００２６】
アプリケーションプログラム２７ａは、アプリケーション２８ａ毎に設けられている。後述するように様々なアプリケーション２８ａが存在し得るので、アプリケーションプログラム２７ａは、記憶部２７に複数記憶されることが可能である。
【００２７】
アプリケーションプログラム２７ａは、アプリケーション２８ａがＭＦＰ２０の利用者にとって最適な動作を実行することができるように、アプリケーション２８ａの設定情報２７ｂを含んでいる。
【００２８】
図３は、設定情報２７ｂの一例を示す図である。
【００２９】
図３に示すように、設定情報２７ｂは、アプリケーション２８ａの設定項目の識別情報である設定項目ＩＤ、設定項目の名称である設定項目名、設定項目のデータ型、設定項目に対する設定値などの情報を、設定項目毎に含んでいる。
【００３０】
例えば、図３に示す設定情報２７ｂにおいて、設定項目ＩＤが「1」である設定項目は、ＩＰアドレスまたはホスト名の設定のための項目である。設定項目ＩＤが「1」である設定項目は、設定項目名が「IP Address/Host Name」であり、データ型が「String」、すなわち文字列型であり、設定値が「192.168.10.254」というＩＰアドレスである。
【００３１】
また、設定項目ＩＤが「2」である設定項目は、ポート番号の設定のための項目である。設定項目ＩＤが「2」である設定項目は、設定項目名が「Port Number」であり、データ型が「Integer」、すなわち整数列であり、設定値が「33333」というポート番号である。
【００３２】
図２に示すプラットフォームプログラム２７ｃは、アプリケーション２８ａの設定項目の構成を示す情報である項目構成情報、すなわち、設定項目ＩＤと、設定項目名と、設定項目のデータ型とをアプリケーション２８ａ毎に記憶している項目構成データベース２７ｄを含んでいる。
【００３３】
図４は、項目構成データベース２７ｄの一例を示す図である。
【００３４】
図４に示すように、項目構成データベース２７ｄは、アプリケーション２８ａの識別情報であるアプリケーションＩＤ、アプリケーション２８ａの名称であるアプリケーション名、アプリケーション２８ａのデータバージョン、アプリケーション２８ａの設定項目の設定項目ＩＤ、アプリケーション２８ａの設定項目の設定項目名、アプリケーション２８ａの設定項目のデータ型などの情報を、アプリケーション２８ａ毎に含んでいる。
【００３５】
例えば、図４に示す項目構成データベース２７ｄにおいて、アプリケーションＩＤが「0101E0」であって、アプリケーション名が「Cost Auditor」であって、データバージョンが「1.0.1」であるアプリケーション２８ａは、設定項目ＩＤ、設定項目名、データ型がそれぞれ「1」、「IP Address/Host Name」、「String」である設定項目と、設定項目ＩＤ、設定項目名、データ型がそれぞれ「2」、「Port Number」、「Integer」である設定項目とを含んでいるアプリケーションである。
【００３６】
また、アプリケーションＩＤが「0101E0」であって、アプリケーション名が「Cost Auditor」であって、データバージョンが「1.0.2」であるアプリケーション２８ａは、設定項目ＩＤ、設定項目名、データ型がそれぞれ「1」、「Port Number」、「Integer」である設定項目と、設定項目ＩＤ、設定項目名、データ型がそれぞれ「2」、「IP Address/Host Name」、「String」である設定項目とを含んでいるアプリケーションである。
【００３７】
ここで、アプリケーションＩＤが「0101E0」であって、データバージョンが「1.0.1」であるアプリケーション２８ａと、アプリケーションＩＤが「0101E0」であって、データバージョンが「1.0.2」であるアプリケーション２８ａとは、アプリケーションＩＤおよびアプリケーション名が同一であるものの、データバージョンが異なるので、異なるアプリケーションである。また、アプリケーションＩＤが「0101E0」であって、データバージョンが「1.0.1」であるアプリケーション２８ａと、アプリケーションＩＤが「0101E0」であって、データバージョンが「1.0.2」であるアプリケーション２８ａとは、設定項目に関しても、設定項目ＩＤと、設定項目名およびデータ型との組み合わせが異なっている。
【００３８】
図２に示すアプリケーションプログラム２７ａおよびプラットフォームプログラム２７ｃは、ＭＦＰ２０の製造段階でＭＦＰ２０にインストールされていても良いし、ＳＤカード、ＵＳＢ（Ｕｎｉｖｅｒｓａｌ  Ｓｅｒｉａｌ  Ｂｕｓ）メモリーなどの記憶媒体からＭＦＰ２０に追加でインストールされても良いし、ネットワーク１１上からＭＦＰ２０に追加でインストールされても良い。
【００３９】
認証情報２７ｅは、利用者の識別情報である利用者ＩＤと、パスワードとの組み合わせの情報であって、例えば、操作部２１から、または、ネットワーク通信部２６を介して図示していないＰＣ（Ｐｅｒｓｏｎａｌ  Ｃｏｍｐｕｔｅｒ）などのコンピューターから入力される情報である。
【００４０】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行するようになっている。
【００４１】
制御部２８は、記憶部２７に記憶されているアプリケーションプログラム２７ａを実行することによって、アプリケーション２８ａとして機能する。
【００４２】
ここで、制御部２８は、同時に複数のアプリケーション２８ａを起動することが可能である。
【００４３】
アプリケーション２８ａは、ＭＦＰ２０の機能を拡張するものである。アプリケーション２８ａとしては、例えば、利用者の認証用の画面を表示部２２に表示させるアプリケーション、利用者の認証情報をネットワーク通信部２６を介して図示していないサーバーに送信するアプリケーション、表示部２２に表示される画面をカスタマイズするアプリケーション、スキャナー２４によって原稿から読み取られた画像をネットワーク通信部２６を介して図示していないＰＣなどのコンピューターに送信するアプリケーションなど、様々なアプリケーションが存在し得る。
【００４４】
例えば、ＭＦＰ２０の利用者は、利用者自身の業務に必要な機能を有するアプリケーション２８ａのインストール用プログラムを、その開発元から購入するなどして入手し、入手したインストール用プログラムを使用してＭＦＰ２０にアプリケーション２８ａをインストールすることが可能である。また、ＭＦＰ２０の利用者は、不要になったアプリケーション２８ａをＭＦＰ２０から削除したり、不要になったアプリケーション２８ａの機能を停止したりすることも可能である。
【００４５】
制御部２８は、記憶部２７に記憶されているプラットフォームプログラム２７ｃを実行することによって、アプリケーション２８ａをＭＦＰ２０上で動作させるためのアプリケーションプラットフォーム２８ｂとして機能する。
【００４６】
アプリケーションプラットフォーム２８ｂは、アプリケーション２８ａの項目構成情報を管理する項目構成管理手段２８ｃ、および、認証情報に基づいて利用者の認証を実行する認証実行手段２８ｄという機能を含んでいる。
【００４７】
アプリケーションプラットフォーム２８ｂは、アプリケーション２８ａの設定項目に対する設定値を管理装置３０から設定させるサービスであるリモート設定サービスをアプリケーション２８ａに提供する。
【００４８】
例えば、アプリケーション２８ａ、アプリケーションプラットフォーム２８ｂは、それぞれＪａｖａ（登録商標）アプリケーション、Ｊａｖａアプリケーションプラットフォームである。
【００４９】
図５は、管理装置３０のブロック図である。
【００５０】
図５に示すように、管理装置３０は、種々の操作が入力されるマウスやキーボードなどの入力デバイスである操作部３１と、種々の情報を表示するＬＣＤなどの表示デバイスである表示部３２と、ネットワーク１１（図１参照。）経由で外部の装置と通信を行うネットワーク通信デバイスであるネットワーク通信部３３と、プログラムおよび各種のデータを記憶しているＨＤＤなどの記憶デバイスである記憶部３４と、管理装置３０全体を制御する制御部３５とを備えている。管理装置３０は、例えばＰＣなどのコンピューターによって構成されている。
【００５１】
記憶部３４は、ＭＦＰの管理のためのプログラムである管理プログラム３４ａと、利用者の認証情報３４ｂとを記憶している。
【００５２】
管理プログラム３４ａは、管理装置３０の製造段階で管理装置３０にインストールされていても良いし、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの記憶媒体から管理装置３０に追加でインストールされても良いし、ネットワーク１１上から管理装置３０に追加でインストールされても良い。
【００５３】
認証情報３４ｂは、利用者の利用者ＩＤと、パスワードとの組み合わせの情報であって、例えば、操作部３１から、または、ネットワーク通信部３３を介して図示していないＰＣなどのコンピューターから入力される情報である。
【００５４】
制御部３５は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部３４に記憶されているプログラムを実行するようになっている。
【００５５】
制御部３５は、記憶部３４に記憶されている管理プログラム３４ａを実行することによって、アプリケーション２８ａがインストールされているＭＦＰのうち、このアプリケーション２８ａの設定値の送信先となるＭＦＰが選択されるための画面である送信先選択用画面を生成する選択用画面生成手段３５ａ、ＭＦＰにインストールされているアプリケーション２８ａの設定項目に対する設定値の設定のための画面である設定値設定用画面を生成する設定用画面生成手段３５ｂ、および、アプリケーション２８ａに設定値を設定させる設定値設定手段３５ｃとして機能する。
【００５６】
次に、管理システム１０の動作について説明する。
【００５７】
＜管理装置３０によるＭＦＰの標準の設定項目に対する設定値の設定＞
まず、ＭＦＰの標準の設定項目に対して管理装置３０によって設定値が設定される場合の管理システム１０の動作について説明する。
【００５８】
例えば、ＭＦＰの標準の設定項目としては、ＭＦＰが給紙トレイを複数備えている場合のデフォルトの給紙トレイの設定などがある。
【００５９】
ＭＦＰの管理者は、ＭＦＰの標準の設定項目に対する設定値の設定を管理装置３０に指示することができる。管理装置３０の制御部３５は、この指示に応じて、ＭＦＰの標準の設定項目に対する設定のための図示していない専用のプログラム（以下「標準項目リモート設定プログラム」と言う。）を実行し、管理者から指示された設定値をＭＦＰに送信する。
【００６０】
ＭＦＰの制御部２８は、標準の設定項目に対する設定値を標準項目リモート設定プログラムを介して管理装置３０からネットワーク１１経由で受け取ることによって、標準の設定項目に対して、この設定値を設定する。
【００６１】
なお、管理装置３０は、複数のＭＦＰの標準の設定項目に対する設定を標準項目リモート設定プログラムによって一括して実行することもできる。
【００６２】
標準項目リモート設定プログラムには、ＭＦＰの標準の設定項目が含まれている。すなわち、管理装置３０は、標準項目リモート設定プログラムによってＭＦＰの標準の設定項目を把握している。
【００６３】
＜ＭＦＰへのアプリケーション２８ａのインストール＞
次に、ＭＦＰにアプリケーション２８ａがインストールされる場合の管理システム１０の動作について説明する。
【００６４】
管理者は、管理装置３０が管理している全てのＭＦＰに対してアプリケーション２８ａのインストールを管理装置３０の操作部３１から指示することができる。したがって、管理装置３０の制御部３５は、この指示に応じて、アプリケーション２８ａのインストール用プログラムを、管理装置３０自身が管理している全てのＭＦＰに、ネットワーク通信部３３を介して送信する。
【００６５】
ＭＦＰ２０の制御部２８は、管理装置３０によって送信されたアプリケーション２８ａのインストール用プログラムをネットワーク通信部２６を介して受信すると、受信したインストール用プログラムを実行することによって、アプリケーション２８ａをインストールする。
【００６６】
なお、以上においては、ＭＦＰ２０によるアプリケーション２８ａのインストールについて説明しているが、ＭＦＰ２０以外のＭＦＰによるアプリケーション２８ａのインストールについても同様である。
【００６７】
また、以上においては、管理装置３０を介して複数のＭＦＰに一括してアプリケーション２８ａをインストールする方法ついて説明しているが、他の方法によってＭＦＰにアプリケーション２８ａがインストールされるようになっていても良い。例えば、管理者は、アプリケーション２８ａのインストールを各ＭＦＰの操作部２１から個別に指示することもできる。
【００６８】
＜アプリケーションプラットフォーム２８ｂへのアプリケーション２８ａの項目構成情報の登録＞
次に、アプリケーション２８ａの項目構成情報がアプリケーションプラットフォーム２８ｂに登録される場合のＭＦＰの動作について説明する。
【００６９】
ＭＦＰ２０の制御部２８は、アプリケーション２８ａが起動されると、そのアプリケーション２８ａの設定情報２７ｂに基づいて、そのアプリケーション２８ａの全ての項目構成情報、すなわち、設定項目ＩＤ、設定項目名およびデータ型をアプリケーションプラットフォーム２８ｂに渡す。
【００７０】
アプリケーションプラットフォーム２８ｂの項目構成管理手段２８ｃは、アプリケーション２８ａの全ての項目構成情報がアプリケーション２８ａから渡されると、アプリケーション２８ａから渡された全ての項目構成情報を項目構成データベース２７ｄに登録する。
【００７１】
なお、以上においては、ＭＦＰ２０におけるアプリケーションプラットフォーム２８ｂへの項目構成情報の登録について説明しているが、ＭＦＰ２０以外のＭＦＰにおけるアプリケーションプラットフォーム２８ｂへの項目構成情報の登録についても同様である。
【００７２】
また、以上においては、アプリケーション２８ａの起動時にそのアプリケーション２８ａの項目構成情報がアプリケーションプラットフォーム２８ｂに登録される方法について説明しているが、他の方法によってアプリケーション２８ａの項目構成情報がアプリケーションプラットフォーム２８ｂに登録されるようになっていても良い。例えば、ＭＦＰの制御部２８は、インストール済みの全てのアプリケーション２８ａの項目構成情報を、ＭＦＰ自体の起動時にアプリケーションプラットフォーム２８ｂに登録するようになっていても良い。
【００７３】
＜管理装置３０によるＭＦＰのアプリケーション２８ａの設定項目に対する設定値の設定＞
次に、ＭＦＰのアプリケーション２８ａの設定項目に対して管理装置３０によって設定値が設定される場合の管理システム１０の動作について説明する。
【００７４】
管理者は、管理装置３０の表示部３２への送信先選択用画面の表示を管理装置３０の操作部３１から指示することができる。したがって、管理装置３０の制御部３５の選択用画面生成手段３５ａは、この指示に応じて、図６に示す動作を実行する。
【００７５】
図６は、管理装置３０が送信先選択用画面を表示する場合の管理システム１０の動作のシーケンス図である。なお、図６においては、管理装置３０と１台のＭＦＰとの間の動作のみを示しているが、実際には、管理装置３０と他のＭＦＰとの間においても同様の動作が実行される。
【００７６】
図６に示すように、管理装置３０の選択用画面生成手段３５ａは、管理装置３０が管理している全てのＭＦＰに対して、そのＭＦＰにインストールされている全てのアプリケーション２８ａのアプリケーションＩＤ、アプリケーション名およびデータバージョンを、ネットワーク通信部３３を介して要求する（Ｓ１０１）。
【００７７】
ＭＦＰのアプリケーションプラットフォーム２８ｂの項目構成管理手段２８ｃは、Ｓ１０１における管理装置３０からの要求をネットワーク通信部２６を介して受信すると、記憶部２７に記憶されている項目構成データベース２７ｄに基づいて、インストールされている全てのアプリケーション２８ａのアプリケーションＩＤ、アプリケーション名およびデータバージョンをネットワーク通信部２６を介して管理装置３０に送信する（Ｓ１０２）。
【００７８】
管理装置３０の選択用画面生成手段３５ａは、Ｓ１０２においてＭＦＰから受信したアプリケーションＩＤ、アプリケーション名およびデータバージョンに基づいて送信先選択用画面を生成する（Ｓ１０３）。
【００７９】
次いで、選択用画面生成手段３５ａは、Ｓ１０３において生成した送信先選択用画面を表示部３２に表示して（Ｓ１０４）、図６に示す動作を終了する。
【００８０】
図７は、表示部３２に表示される送信先選択用画面４０の一例を示す図である。
【００８１】
図７に示す送信先選択用画面４０には、選択用画面生成手段３５ａがＭＦＰから受信したアプリケーションＩＤ、アプリケーション名およびデータバージョンの組み合わせを表示するアプリケーション一覧領域４１と、アプリケーション一覧領域４１において選択されたアプリケーション２８ａがインストールされているＭＦＰのうち設定値の送信先が個別に選択される場合に押される個別選択ボタン４２と、アプリケーション一覧領域４１において選択されたアプリケーション２８ａがインストールされている全てのＭＦＰを設定値の送信先として決定する場合に押されるＯＫボタン４３と、設定値の送信先の決定を中止する場合に押されるＣａｎｃｅｌボタン４４とが含まれている。
【００８２】
アプリケーション一覧領域４１は、アプリケーションＩＤ、アプリケーション名およびデータバージョンの組み合わせをアプリケーション２８ａ毎に表示する領域である。管理者は、アプリケーション一覧領域４１に表示されているアプリケーション２８ａのうち何れか１つのアプリケーションのみを管理装置３０の操作部３１を介して選択することができる。アプリケーション一覧領域４１において選択されているアプリケーション２８ａは、反転表示される。図７に示す例においては、アプリケーションＩＤが「0101E0」であって、アプリケーション名が「Cost Auditor」であって、データバージョンが「1.0.1」であるアプリケーション２８ａが選択されている。
【００８３】
管理装置３０の制御部３５は、個別選択ボタン４２が押された場合、アプリケーション２８ａの設定項目に対する設定値の送信先を個別に選択するための送信先選択用画面である送信先個別選択用画面を送信先選択用画面４０に代えて表示部３２に表示させる。
【００８４】
図８は、表示部３２に表示される送信先個別選択用画面５０の一例を示す図である。
【００８５】
図８に示す送信先個別選択用画面５０には、図７に示す送信先選択用画面４０のアプリケーション一覧領域４１において選択されていたアプリケーション２８ａのアプリケーションＩＤ、アプリケーション名およびデータバージョンの組み合わせを表示するアプリケーション表示領域５１と、表示領域５１に表示されているアプリケーション２８ａがインストールされているＭＦＰを表示するＭＦＰ一覧領域５２と、ＭＦＰ一覧領域５２において選択されたＭＦＰを設定値の送信先として決定する場合に押されるＯＫボタン５３と、設定値の送信先の個別の選択を中止する場合に押されるＣａｎｃｅｌボタン５４とが含まれている。
【００８６】
管理者は、ＭＦＰ一覧領域５２に表示されているＭＦＰのうち何れか１つ以上のＭＦＰを管理装置３０の操作部３１を介して選択することができる。ＭＦＰ一覧領域５２において選択されているＭＦＰは、反転表示される。図８に示す例においては、ＩＤが「MFP001」および「MFP003」であるＭＦＰが選択されている。
【００８７】
制御部３５は、図７に示す送信先選択用画面４０においてＯＫボタン４３が押された場合、すなわち、アプリケーション一覧領域４１において選択されたアプリケーション２８ａがインストールされている全てのＭＦＰを設定値の送信先として決定した場合、表示部３２による送信先選択用画面４０の表示を終了して、図９に示す動作を実行する。
【００８８】
一方、制御部３５は、送信先選択用画面４０においてＣａｎｃｅｌボタン４４が押された場合、表示部３２による送信先選択用画面４０の表示を終了して、ＭＦＰのアプリケーション２８ａの設定項目に対する設定値の設定も終了する。
【００８９】
制御部３５は、図８に示す送信先個別選択用画面５０においてＯＫボタン５３が押された場合、すなわち、ＭＦＰ一覧領域５２において選択されたＭＦＰを設定値の送信先として決定した場合、表示部３２による送信先個別選択用画面５０の表示を終了して、図９に示す動作を実行する。
【００９０】
一方、制御部３５は、送信先個別選択用画面５０においてＣａｎｃｅｌボタン５４が押された場合、送信先個別選択用画面５０に代えて図７に示す送信先選択用画面４０を表示部３２に表示させる。
【００９１】
図９は、管理装置３０が設定値設定用画面を表示する場合の管理システム１０の動作のシーケンス図である。
【００９２】
図９に示すように、管理装置３０の設定用画面生成手段３５ｂは、対象のＭＦＰ（図７に示す送信先選択用画面４０または図８に示す送信先個別選択用画面５０において送信先として選択されたＭＦＰのうち任意の１つのＭＦＰ）に対して、対象のアプリケーション２８ａ（図７に示す送信先選択用画面４０において選択されたアプリケーション２８ａまたは図８に示す送信先個別選択用画面５０のアプリケーション表示領域５１において特定されたアプリケーション２８ａ）の項目構成情報、すなわち、設定項目ＩＤ、設定項目名およびデータ型を、ネットワーク通信部３３を介して要求する（Ｓ１３１）。
【００９３】
対象のＭＦＰのアプリケーションプラットフォーム２８ｂの項目構成管理手段２８ｃは、対象のアプリケーション２８ａの項目構成情報の管理装置３０からの要求をネットワーク通信部２６を介して受信すると、記憶部２７に記憶されている項目構成データベース２７ｄに基づいて、対象のアプリケーション２８ａの項目構成情報を含む送信用の情報（以下「項目構成送信用情報」と言う。）を、ネットワーク通信部２６を介して管理装置３０に送信する（Ｓ１３２）。
【００９４】
ここで、項目構成管理手段２８ｃは、例えばＸＭＬ（Ｅｘｔｅｎｓｉｂｌｅ  Ｍａｒｋｕｐ  Ｌａｎｇｕａｇｅ）形式など、所定の形式によって項目構成送信用情報を管理装置３０に送信する。
【００９５】
図１０は、ＭＦＰから管理装置３０に送信されるＸＭＬ形式の項目構成送信用情報の一例を示す図である。
【００９６】
図１０に示す項目構成送信用情報において、<AppConfigDefinition>、</AppConfigDefinition>は、それぞれ項目構成送信用情報の開始位置、終了位置を示している。また、<AppID>および</AppID>によって囲まれている情報は、対象のアプリケーション２８ａのアプリケーションＩＤである。<Parameters>および</Parameters>によって囲まれておらず<Name>および</Name>によって囲まれている情報は、対象のアプリケーション２８ａのアプリケーション名である。<DataVersion>および</DataVersion>によって囲まれている情報は、対象のアプリケーション２８ａのデータバージョンである。<Parameters>および</Parameters>によって囲まれた範囲には、対象のアプリケーション２８ａの全ての項目構成情報が含まれている。
【００９７】
<Parameter>および</Parameter>によって囲まれた範囲には、対象のアプリケーション２８ａの各項目構成情報が含まれている。<ID>および</ID>によって囲まれている情報は、対象のアプリケーション２８ａの各設定項目の設定項目ＩＤである。<Parameters>および</Parameters>によって囲まれていて<Name>および</Name>によって囲まれている情報は、対象のアプリケーション２８ａの各設定項目の設定項目名である。<Type>および</Type>によって囲まれている情報は、対象のアプリケーション２８ａの各設定項目のデータ型である。
【００９８】
図９に示すように、管理装置３０の選択用画面生成手段３５ａは、Ｓ１３２においてＭＦＰから受信した項目構成送信用情報に含まれる対象のアプリケーション２８ａの項目構成情報に基づいて設定値設定用画面を動的に生成する（Ｓ１３３）。
【００９９】
次いで、選択用画面生成手段３５ａは、Ｓ１３３において生成した設定値設定用画面を表示部３２に表示して（Ｓ１３４）、図９に示す動作を終了する。
【０１００】
図１１は、表示部３２に表示される設定値設定用画面６０の一例を示す図である。
【０１０１】
図１１に示す設定値設定用画面６０には、アプリケーション２８ａのアプリケーション名を示すテキスト６１と、アプリケーション２８ａのデータバージョンを示すテキスト６２と、設定項目ＩＤが「1」である設定項目の設定項目名を示すテキスト６３ａと、設定項目ＩＤが「1」である設定項目に対する設定値が入力されるためのテキストボックス６３ｂと、設定項目ＩＤが「2」である設定項目の設定項目名を示すテキスト６４ａと、設定項目ＩＤが「2」である設定項目に対する設定値が入力されるためのテキストボックス６４ｂと、テキストボックス６３ｂおよびテキストボックス６４ｂに入力された設定値を決定する場合に押されるＯＫボタン６５と、設定値の設定を中止する場合に押されるＣａｎｃｅｌボタン６６とが含まれている。
【０１０２】
なお、テキストボックス６３ｂは、設定項目ＩＤが「1」である設定項目のデータ型に対応する設定値のみが受け付けられるようになっている。同様に、テキストボックス６４ｂは、設定項目ＩＤが「2」である設定項目のデータ型に対応する設定値のみが受け付けられるようになっている。
【０１０３】
制御部３５は、図１１に示す設定値設定用画面６０においてＯＫボタン６５が押された場合、すなわち、設定値設定用画面６０において設定値が指示された場合、表示部３２による設定値設定用画面６０の表示を終了して、図１２に示す動作を実行する。
【０１０４】
一方、制御部３５は、設定値設定用画面６０においてＣａｎｃｅｌボタン６６が押された場合、表示部３２による設定値設定用画面６０の表示を終了して、ＭＦＰのアプリケーション２８ａの設定項目に対する設定値の設定も終了する。
【０１０５】
図１２は、管理装置３０によってＭＦＰのアプリケーション２８ａの設定項目に対する設定値を設定する場合の管理システム１０の動作のシーケンス図である。なお、図１２においては、管理装置３０と１台のＭＦＰとの間の動作のみを示しているが、実際には、管理装置３０と他のＭＦＰとの間においても同様の動作が実行される。
【０１０６】
図１２に示すように、管理装置３０の制御部３５の設定値設定手段３５ｃは、対象のＭＦＰ（図７に示す送信先選択用画面４０または図８に示す送信先個別選択用画面５０において送信先として選択された全てのＭＦＰ）に対して、図１１に示す設定値設定用画面６０において入力された設定値を含む送信用の情報（以下「設定値送信用情報」と言う。）を、ネットワーク通信部３３を介して送信する（Ｓ１６１）。ここで、設定値設定手段３５ｃは、対象のＭＦＰに対する管理者の権限（以下「管理者権限」と言う。）を有している利用者の認証情報を記憶部３４上の認証情報３４ｂから読み出し、読み出した認証情報を設定値送信用情報に含めるようになっていても良い。設定値送信用情報に含められる認証情報は、設定値送信用情報の送信先であるＭＦＰ毎に異なっていても良い。設定値設定手段３５ｃは、設定値送信用情報に認証情報を含める場合、認証情報が外部に漏れることを防止するために、設定値送信用情報を暗号化することが好ましい。
【０１０７】
ここで、設定値設定手段３５ｃは、例えばＸＭＬ形式など、所定の形式によって設定値送信用情報をＭＦＰに送信する。
【０１０８】
図１３は、管理装置３０からＭＦＰに送信されるＸＭＬ形式の設定値送信用情報の一例を示す図である。
【０１０９】
図１３に示す設定値送信用情報において、<AppConfig>、</AppConfig>は、それぞれ設定値送信用情報の開始位置、終了位置を示している。また、<AppID>および</AppID>によって囲まれている情報は、対象のアプリケーション２８ａ（図７に示す送信先選択用画面４０において選択されたアプリケーション２８ａまたは図８に示す送信先個別選択用画面５０のアプリケーション表示領域５１において特定されたアプリケーション２８ａ）のアプリケーションＩＤである。<DataVersion>および</DataVersion>によって囲まれている情報は、対象のアプリケーション２８ａのデータバージョンである。<LoginName>および</LoginName>によって囲まれている情報は、認証情報の利用者ＩＤである。<Password>および</Password>によって囲まれている情報は、認証情報のパスワードである。<Parameters>および</Parameters>によって囲まれた範囲には、対象のアプリケーション２８ａの全ての設定項目の設定値が含まれている。
【０１１０】
<Parameter>および</Parameter>によって囲まれた範囲には、対象のアプリケーション２８ａの各設定項目に対する設定値が含まれている。<ID>および</ID>によって囲まれている情報は、対象のアプリケーション２８ａの各設定項目の設定項目ＩＤである。<Value>および</Value>によって囲まれている情報は、対象のアプリケーション２８ａの各設定項目に対する設定値である。
【０１１１】
ＭＦＰのアプリケーションプラットフォーム２８ｂの認証実行手段２８ｄは、管理装置３０から送信されてきた設定値送信用情報をネットワーク通信部２６を介して受信すると、受信した設定値送信用情報内の認証情報に基づいて、管理者権限を有する利用者か否かの認証を実行する（Ｓ１６２）。ここで、認証実行手段２８ｄは、設定値送信用情報内の認証情報が、管理者権限を有する利用者として記憶部２７上の認証情報２７ｅに登録されている場合、管理者権限を有する利用者であると判断する。一方、認証実行手段２８ｄは、設定値送信用情報内の認証情報が、管理者権限を有する利用者として記憶部２７上の認証情報２７ｅに登録されていない場合、管理者権限を有していない利用者であると判断する。
【０１１２】
ＭＦＰのアプリケーションプラットフォーム２８ｂは、管理者権限を有する利用者ではないとＳ１６２において判断すると、設定値の設定を失敗した旨をネットワーク通信部２６を介して管理装置３０に送信する。したがって、管理装置３０は、設定値の設定を失敗した旨を表示部３２に表示して、図１２に示す動作を終了する。
【０１１３】
一方、ＭＦＰのアプリケーションプラットフォーム２８ｂは、管理者権限を有する利用者であるとＳ１６２において判断すると、設定値送信用情報において設定項目ＩＤで指定されている設定項目に対して、設定値送信用情報において示されている設定値を設定することを、設定値送信用情報においてアプリケーションＩＤおよびデータバージョンで指定されているアプリケーション２８ａに対して要求する（Ｓ１６３）。
【０１１４】
ＭＦＰのアプリケーション２８ａは、設定項目に対する設定値の設定がＳ１６３において要求されると、設定予定の設定項目に対してこの設定値が適切であるか否かを判断する（Ｓ１６４）。例えば、アプリケーション２８ａは、設定が要求された設定値のデータ型が、設定予定の設定項目に対する設定値のデータ型と異なる場合、設定予定の設定項目に対して設定値が適切ではないと判断する。
【０１１５】
アプリケーション２８ａは設定予定の設定項目に対して設定値が適切ではないとＳ１６４において判断すると、設定値の設定を失敗した旨をアプリケーションプラットフォーム２８ｂに通知する。そして、アプリケーションプラットフォーム２８ｂは、設定値の設定を失敗した旨をネットワーク通信部２６を介して管理装置３０に送信する。したがって、管理装置３０は、設定値の設定を失敗した旨を表示部３２に表示して、図１２に示す動作を終了する。
【０１１６】
アプリケーション２８ａは、設定予定の設定項目に対して設定値が適切であるとＳ１６４において判断すると、この設定項目に対して、この設定値を、設定情報２７ｂに設定する（Ｓ１６５）。
【０１１７】
次いで、アプリケーション２８ａは、設定値の設定を成功した旨をアプリケーションプラットフォーム２８ｂに通知する（Ｓ１６６）。
【０１１８】
そして、アプリケーションプラットフォーム２８ｂは、設定値の設定を成功した旨をネットワーク通信部２６を介して管理装置３０に送信する（Ｓ１６７）。
【０１１９】
したがって、管理装置３０の設定値設定手段３５ｃは、設定値の設定を成功した旨を表示部３２に表示して（Ｓ１６８）、図１２に示す動作を終了する。
【０１２０】
以上に説明したように、管理システム１０は、ＭＦＰがＭＦＰ自身にインストールされているアプリケーション２８ａの項目構成情報を管理装置３０に送信し（Ｓ１３２）、管理装置３０がこの項目構成情報に基づいてこのアプリケーション２８ａに対する設定値設定用画面を生成する（Ｓ１３３）ので、管理装置３０が設定項目を把握していなかったアプリケーション２８ａの設定値であっても管理装置３０からＭＦＰに設定を指示することができる。
【０１２１】
したがって、管理システム１０は、例えば、管理装置３０が設定項目を把握していない新たなアプリケーション２８ａがＭＦＰにインストールされる度に、そのアプリケーション２８ａの設定項目に対する管理装置３０からの設定値の設定のためのプログラムとして、そのアプリケーション２８ａ専用のプログラムを管理装置３０に導入する必要がない。
【０１２２】
管理装置３０は、アプリケーション２８ａに対する設定値設定用画面６０において設定値が指示された場合に、このアプリケーション２８ａがインストールされている複数のＭＦＰに、この設定値を送信することが可能である（Ｓ１６１）。この構成により、管理システム１０は、アプリケーション２８ａの設定項目に対する設定値の設定を複数のＭＦＰに対して一括して実行することができるので、複数のＭＦＰにインストールされているアプリケーション２８ａの設定項目に対する設定値の設定を容易化することができる。
【０１２３】
管理装置３０は、複数のＭＦＰに設定値を送信する場合に（Ｓ１６１）、この複数のＭＦＰの一部のみに、この設定値が設定されるアプリケーション２８ａの項目構成情報を要求する（Ｓ１３１）。この構成により、管理システム１０は、設定値が送信される複数のＭＦＰの全部に、この設定値が設定されるアプリケーション２８ａの項目構成情報を要求する構成と比較して、管理システム１０全体における通信量を低減することができる。
【０１２４】
管理システム１０は、同一のアプリケーション２８ａが複数のＭＦＰにインストールされている場合、これらのＭＦＰのうち、このアプリケーション２８ａの設定項目に対して設定値が設定されるＭＦＰが送信先個別選択用画面５０において選択可能であるので、管理システム１０全体として、ＭＦＰにインストールされているアプリケーション２８ａの設定項目に対する設定値の設定の自由度を向上することができる。
【０１２５】
管理システム１０は、認証情報に基づいた認証（Ｓ１６２）がＭＦＰにおいて成功した場合に、この認証情報とともに管理装置３０からこのＭＦＰに送信されてきた設定値を、このＭＦＰがアプリケーション２８ａの設定項目に対して設定する（Ｓ１６５）ので、ＭＦＰにインストールされているアプリケーション２８ａの設定項目に対して設定値が不正に設定されることを防止することができる。
【０１２６】
なお、管理システム１０は、管理装置３０が設定値設定用画面６０を表示する場合に（Ｓ１３４）、図１１に示すように、設定値設定用画面６０における設定項目に対してＭＦＰにおいて現在設定されている設定値が設定値設定用画面６０に表示されないようになっている。しかしながら、管理システム１０は、アプリケーション２８ａの項目構成情報を管理装置３０からＭＦＰに要求する場合に、その設定項目に対してＭＦＰにおいて現在設定されている設定値も管理装置３０からＭＦＰに要求することによって、図１４に示すように、設定値設定用画面６０における設定項目に対してＭＦＰにおいて現在設定されている設定値が設定値設定用画面６０に表示されるようにすることもできる。
【０１２７】
管理システム１０は、本実施の形態において本発明の画像処理装置としてＭＦＰを備えているが、プリンター専用機、コピー専用機、ＦＡＸ専用機など、ＭＦＰ以外の画像処理装置を備えていても良い。
【符号の説明】
【０１２８】
１０  管理システム
２０  ＭＦＰ（画像処理装置）
２７ｅ  認証情報
２８ａ  アプリケーション
２８ｃ  項目構成管理手段
２８ｄ  認証実行手段
３０  管理装置
３４ｂ  認証情報
３５ａ  選択用画面生成手段
３５ｂ  設定用画面生成手段
３５ｃ  設定値設定手段
４０  送信先選択用画面
５０  送信先個別選択用画面（送信先選択用画面）
６０  設定値設定用画面
【図１】
2014048756.tif 000003
【図２】
2014048756.tif 000004
【図３】
2014048756.tif 000005
【図４】
2014048756.tif 000006
【図５】
2014048756.tif 000007
【図６】
2014048756.tif 000008
【図７】
2014048756.tif 000009
【図８】
2014048756.tif 000010
【図９】
2014048756.tif 000011
【図１０】
2014048756.tif 000012
【図１１】
2014048756.tif 000013
【図１２】
2014048756.tif 000014
【図１３】
2014048756.tif 000015
【図１４】
2014048756.tif 000016